(57)【要約】  熱電発電器、関連する埋め込み型デバイス、及び方法。本発明は、少なくとも１種の第１の化学種を含有する流体Ｆ中に浸漬されるように意図されている熱電発電器４５であって、第１の端部７０及び第２の端部７５を各々有する２つの電極５５、６０を備え、第１の端部７０は、互いに接続されており、発電器４５は、各第１の端部７０と対応する第２の端部７５との間に温度差が与えられると、２つの端部７５の間に電圧を生むように構成されており、温度差は、各電極５５、６０の「高温端」と呼ばれる一方の端部が、他方の端部７０、７５の温度よりも厳密に高い温度を有するものである、熱電発電器４５に関する。少なくとも１つの電極の高温端５５、６０は、上記の化学種が関与する少なくとも１回の発熱反応を引き起こすことができる、微生物又は酵素を含む。
2021525502.tif 000002
【特許請求の範囲】
【請求項１】
少なくとも１種の第１の化学種を含有する流体（Ｆ）中に浸漬されるように意図されている熱電発電器（４５）であって、前記熱電発電器（４５）は、少なくとも２つの電極（５５、６０）を備え、各電極（５５、６０）は、第１の端部（７０）と第２の端部（７５）とを有し、前記第１の端部（７０）は、互いに電気的に接続されており、前記発電器（４５）は、各第１の端部（７０）と同じ電極（５５、６０）の前記第２の端部（７５）との間に温度差が与えられると、前記２つの第２の端部（７５）の間に電位差を生むように構成されており、前記温度差は、各電極（５５、６０）の前記第１の端部（７０）及び第２の端部（７５）のうちの、「高温端」と呼ばれる一方の端部が、同じ電極（５５、６０）の前記第１の端部（７０）及び第２の端部（７５）のうちの、「低温端」と呼ばれる他方の端部（７０、７５）の温度よりも、厳密に高い温度を有するものであり、
少なくとも１つの電極（５５、６０）の前記高温端は、微生物及び酵素から成る群から選択される少なくとも１つの要素（８０）を備え、前記要素（８０）は、前記第１の化学種が関与する少なくとも１回の発熱反応を引き起こすことが可能であり、
前記熱電発電器（４５）は、少なくとも１つの電極（５５、６０）の前記高温端と接触しているブロックを更に備え、前記ブロックは、マトリクスを備え、前記マトリクスは、特にポリマー材料で形成されており、前記要素（８０）は、前記マトリクスに封入された粒子の形態である、熱電発電器（４５）。
【請求項２】
前記２つの高温端を収容するチャンバ（８５）を画定しているケーシング（６５）を備え、前記チャンバ（８５）は、前記要素（８０）も収容しており、前記ケーシング（６５）は、少なくとも前記第１の化学種がそこを通過できるように構成されている、請求項１に記載の熱電発電器。
【請求項３】
前記ケーシング（６５）は、多孔質材料で形成されている、請求項２に記載の発電器。
【請求項４】
前記ケーシング（６５）の外部から前記チャンバ（８５）内部に流体（Ｆ）の流れを注入することができるポンプを備える、請求項２又は３に記載の発電器。
【請求項５】
前記ケーシング（６５）は、ポリマー材料で形成されている、請求項２から４までのいずれか一項に記載の発電器。
【請求項６】
前記多孔質材料は、多孔質３Ｄマトリクスで製作されている、請求項３又は４に記載の発電器。
【請求項７】
前記マトリクスの幾何形状は、立方体、円筒、厚板のうちの１つである、請求項６に記載の発電器。
【請求項８】
前記３Ｄマトリクスの表面の７０％から８０％が、断熱層で被覆されている、請求項６又は７に記載の発電器。
【請求項９】
前記マトリクスは、流体入口と流体出口とを有する、請求項６から８までのいずれか一項に記載の発電器。
【請求項１０】
前記３Ｄマトリクスは、前記３Ｄマトリクスの内部にバイオフィルムを形成する微生物を含む、請求項６から８までのいずれか一項に記載の発電器。
【請求項１１】
前記多孔質マトリクスは、金属ブロックである、請求項６から１０までのいずれか一項に記載の熱電発電器。
【請求項１２】
前記要素（８０）は、第１の発熱反応及び第２の発熱反応を引き起こすことができ、前記第１の反応は、前記第１の化学種の反応によって少なくとも１つの生成物を生成し、前記第２の反応は、前記第１の反応の前記生成物が関与する反応である、請求項１から１１までのいずれか一項に記載の発電器。
【請求項１３】
少なくとも１つの要素（８０）は微生物であり、
前記微生物は酵母を含む、及び
前記微生物は細菌を含む、
という特性のうちの少なくとも一方が立証される、請求項１から１２までのいずれか一項に記載の熱電発電器。
【請求項１４】
前記第１の化学種は、尿素、アルコール、及び糖から成る群から選択される、請求項１から１３までのいずれか一項に記載の発電器。
【請求項１５】
少なくとも１つの種は、グルコースである、請求項１４に記載の発電器。
【請求項１６】
人体又は動物体に埋め込まれるように構成されている埋め込み型デバイス（１０）であって、請求項１から１５までのいずれか一項に記載の熱電発電器（４５）を備え、前記流体（Ｆ）は、前記人体又は動物体の体液であり、前記第１の化学種は、特にグルコースである、埋め込み型デバイス（１０）。
【請求項１７】
少なくとも１つの要素（８０）は、酵素を含み、前記要素（８０）は、グルコース・オキシダーゼ及びカタラーゼを含む、請求項１６に記載の埋め込み型デバイス。
【請求項１８】
前記埋め込み型デバイス（１０）は、ペースメーカーである、請求項１６又は１７に記載の埋め込み型デバイス。
【請求項１９】
少なくとも２つの電極（５５、６０）を備える熱電発電器（４５）を準備するステップ（１００）であって、各電極（５５、６０）は、第１の端部（７０）及び第２の端部（７５）を有し、前記第１の端部（７０）は、互いに電気的に接続されており、前記発電器（４５）は、各第１の端部（７０）と同じ電極（５５、６０）の前記第２の端部（７５）との間に温度差が与えられると、前記２つの第２の端部（７５）の間に電位差を生むように構成されており、前記温度差は、各電極（５５、６０）の前記第１の端部（７０）及び前記第２の端部（７５）のうちの、「高温端」と呼ばれる一方の端部（７０、７５）が、同じ電極（５５、６０）の前記第１の端部（７０）及び前記第２の端部（７５）のうちの、「低温端」と呼ばれる他方の端部（７０、７５）の温度よりも、厳密に高い温度を有するものであり、少なくとも１つの電極（５５、６０）の前記高温端は、微生物及び酵素から成る群から選択される少なくとも１つの要素（８０）を備え、前記熱電発電器（４５）は、少なくとも１つの電極（５５、６０）の前記高温端と接触しているブロックを更に備え、前記ブロックは、マトリクスを備え、前記マトリクスは、特にポリマー材料で形成されており、前記要素（８０）は、前記マトリクスに封入された粒子の形態である、準備するステップ（１００）と、
前記熱電発電器（４５）を少なくとも１種の第１の化学種を含む流体（Ｆ）中に浸漬するステップ（１１０）と、
前記要素（８０）によって、前記第１の化学種が関与する少なくとも１回の発熱反応を実施するステップ（１２０）と、
前記要素（８０）を備える前記電極（５５、６０）の前記高温端と前記低温端との間に、温度差を発生させるステップ（１３０）と、
前記２つの第２の端部（７５）の間に電位差を発生させるステップ（１４０）と、
を含む、電位差を生むための方法。
【発明の詳細な説明】
【技術分野】
【０００１】
本発明は、熱電発電器に関する。本発明は、電位差を生むための関連する方法にも関する。
【背景技術】
【０００２】
電流若しくは電圧を生成して特定のデバイスに電力を供給するための、又は置かれた環境が内包しているエネルギーを取り出すためのデバイスが、多数の用途で使用されている。しかしながら、これらのデバイスは、一般に、ある特定の用途に適合されており、他の用途には適合されていない。
【０００３】
例えば、ペースメーカーなどの埋め込まれたデバイスに電力を供給するための、人体の化学種間の酸化還元反応を触媒する生物電池が提案されている。しかしながら、これらの生物電池は、互いと反応することが可能な酸化物質及び還元物質が利用可能な環境での使用にしか適していない。
【０００４】
他の分野では、２つの区域の間の温度差から電流を生成する、熱電発電器が使用されている。例えば、そのような発電器により、いくつかのプロセスから得られた熱エネルギーの一部を、その一部を電気エネルギーに変換することによって回収することが可能になる。
【０００５】
一般的に言えば、熱電発電器は、第１の端部及び第２の端部を各々有する、２つの電極を備える。各電極はドープ半導体材料で形成され、ドーピングの種類は電極によって異なる。第１の端部は互いに電気的に接続されている。各電極の第１の端部と第２の端部との間に温度差が与えられると２つの電極の間に電位差が生じ、このことにより電流の生成が可能になる。したがって、端部のうちの１つが産業設備の排出口などの高温の物体と接触しており、各電極の他方の端部が同じ設備の外壁又は広範囲の水などの低温の物体と接触していると、排出物に内包されている熱エネルギーの一部が回収される。
【０００６】
しかしながら、熱電発電器によって送達される電力は、第１の端部と第２の端部の間の温度の差に依存する。この温度差が小さいほど、送達される電力は弱くなる。したがって、熱電発電器は、利用可能な温度差が小さい用途にはほとんど適合していない。
【発明の概要】
【発明が解決しようとする課題】
【０００７】
したがって、従来技術の発電器よりも多数の用途に適合された発電器が必要とされている。
【課題を解決するための手段】
【０００８】
この目的のために、少なくとも１種の第１の化学種を含有する流体中に浸漬されるように意図された熱電発電器であって、熱電発電器は、第１の端部及び第２の端部を各々有する少なくとも２つの電極を備え、第１の端部は、互いに電気的に接続されており、発電器は、各第１の端部と同じ電極の第２の端部との間に温度差が与えられると、２つの第２の端部の間に電位差を生むように構成されており、温度差は、各電極の第１の端部及び第２の端部のうちの、「高温端」と呼ばれる一方の端部が、同じ電極の第１の端部及び第２の端部のうちの、「低温端」と呼ばれる他方の端部の温度よりも、厳密に高い温度を有するものである、熱電発電器が提案される。少なくとも１つの電極の高温端は、微生物及び酵素から成る群から選択される少なくとも１つの要素を備え、要素は、第１の化学種が関与する少なくとも１回の発熱反応を引き起こすことが可能である。
【０００９】
特定の実施例によれば、熱電発電器は、単独で採用されるか又は技術的に可能な任意の組合せとされる、以下の特徴のうちの１つ又は複数を含む：
−  発電器は、２つの高温端を収容するチャンバを画定しているケーシングを備え、チャンバは、要素も収容しており、ケーシングは、少なくとも第１の化学種がそこを通過できるように構成されている、
−  ケーシングは、多孔質材料で形成される、
−  発電器は、ケーシングの外部からチャンバ内部に流体流を注入することができるポンプを備える、
−  ケーシングは、ポリマー材料で形成される、
−  多孔質材料は、多孔質３Ｄマトリクスから成る、
−３  Ｄ多孔質マトリクスは、金属粒子の粉末及び粘性のバインダの粘性のペーストから３Ｄプリントによって作製される、
−  ３Ｄマトリクスの細孔のサイズは、５０μｍから１ｍｍまでの値をとる、
−  金属粒子粉末の粒子は、炭素粒子、カーボン・ナノチューブ粒子、活性炭粒子、グラフェン粒子、アルミニウム粒子である、
−  粘性のバインダは、以下の化合物のうちの１つ、又はいくつかの要素の混合物である：セルロース誘導体、アルギネート、アガロース、ポリビニルアルコール、ポリ塩化ビニル、
−  マトリクスの幾何形状は、立方体、円筒、厚板のうちの１つである、
−  マトリクスの１つの表面は、断熱材によって閉じられており、マトリクスのその他の表面は、熱伝導材によって閉じられている、
−  熱伝導材は、例えばアルミニウムである、
−  断熱材は、例えばパリレンである、
−  マトリクスは、流体入口と流体出口とを有する、
−  ３Ｄマトリクスは、３Ｄマトリクスの内部にバイオフィルムを形成する微生物を含む、
−  微生物は、金属粒子粉末及び粘性のバインダの粘性のペーストと混合される、
−  多孔質３Ｄマトリクスを３Ｄプリントによって作製するために、微生物を金属粒子粉末及び粘性のバインダの粘性のペーストと混合することで形成される複合材が使用される、
−  ３Ｄマトリクスの表面の７０％から８０％が、断熱層で被覆されている、
−  断熱層は、例えばＰＣＢである、
−  多孔質マトリクスは、金属ブロック、例えばアルミニウム、炭素、チタン、金、又は等価物であり、金属ブロックは３Ｄプリントによって作製される、
−  発電器は、少なくとも１つの電極の高温端と接触しているブロックを備え、ブロックは、マトリクスを備え、マトリクスは、特にポリマー材料で形成されており、要素は、マトリクスに封入された粒子の形態である、
−  要素は、多孔質の固体を形成する圧粉粒子の形態である、
−  要素は、第１の発熱反応及び第２の発熱反応を引き起こすことができ、第１の反応は、第１の化学種の反応によって少なくとも１つの生成物を生成し、第２の反応は、第１の反応の生成物が関与する反応である、
−少なくとも１つの要素は、微生物であり、以下の特性のうちの少なくとも一方が立証される；
・微生物は酵母を含む、及び
・微生物は細菌を含む、
−  第１の化学種は、尿素、アルコール、及び糖から成る群から選択される、
−  少なくとも１つの種は、グルコースである。
【００１０】
多孔質３Ｄマトリクスを使用することで、多孔質３Ｄマトリクスの表面及び内部における細菌又は微生物のバイオフィルムの形成によって、微生物の数又は密度の増加が可能になり、有利である。
【００１１】
微生物の密度は実際には、微生物が溶液中にあるときよりも、バイオフィルム中にある場合の方が大きい。
【００１２】
３Ｄマトリクスの多孔性によりまた、微生物に水及び基質を供給することもでき、有利である。
【００１３】
本発明の熱電発電器における熱損失を最小限にし、このことにより微生物が放出する熱を最適化するために、多孔質３Ｄマトリクスを形成する材料は比熱が低く熱伝導率が高いのが好ましいが、これは例えば、金属とその複合材に当てはまる。
【００１４】
上で定義したような熱電発電器を備える、人体又は動物体に埋め込まれるように構成された埋め込み型デバイスであって、流体が人体の体液であり、第１の化学種が特にグルコースである、埋め込み型デバイス、も提案される。
【００１５】
特定の実施例によれば、埋め込み型デバイスは、単独で採用されるか又は技術的に可能な任意の組合せとされる、以下の特徴のうちの１つ又は複数を含む：
−  少なくとも１つの要素は、酵素を含み、要素は、グルコース・オキシダーゼ及びカタラーゼを含む、
−  埋め込み型デバイスは、ペースメーカーである。
【００１６】
電位差を生むための方法であって、
・少なくとも２つの電極を備える熱電発電器を準備するステップであって、各電極は、第１の端部及び第２の端部を有し、第１の端部は、互いに電気的に接続されており、発電器は、各第１の端部と同じ電極の第２の端部との間に温度差が与えられると、２つの第２の端部の間に電位差を生むように構成されており、温度差は、各電極の第１の端部及び第２の端部のうちの、「高温端」と呼ばれる一方の端部が、同じ電極の第１の端部及び第２の端部のうちの、「低温端」と呼ばれる他方の端部の温度よりも、厳密に高い温度を有するものであり、少なくとも１つの電極の高温端は、微生物及び酵素から成る群から選択される少なくとも１つの要素を備える、準備するステップと、
・熱電発電器を少なくとも１種の第１の化学種を含む流体中に浸漬するステップと、
・要素によって第１の化学種が関与する少なくとも１回の発熱反応を実施するステップと、
・要素を備える電極の高温端と低温端との間に、温度差を発生させるステップと、
・２つの第２の端部の間に電位差を発生させるステップと
を含む方法が、更に提案される。
【００１７】
本発明の特徴及び利点は、非限定的な実例としてのみ与えられている以下の説明を、下記の付属の図面を参照して読むことで、はっきりと明らかになるであろう。
【図面の簡単な説明】
【００１８】
【図１】本発明の熱電発電器を備える埋め込み型デバイスの実例の概略図である。
【図２】図１の熱電発電器を用いて実施される、電位差を生むための方法の実例のフローチャートである。
【図３】本発明の一実施例に係る熱電発電器の多孔質３Ｄマトリクスの図である。
【図４】本発明の一実施例に係る熱電発電器の図である。
【発明を実施するための形態】
【００１９】
図１には埋め込み型デバイス１０が示されている。
【００２０】
埋め込み型デバイス１０とは、この埋め込み型デバイス１０が動物、例えば人間の体内に埋め込まれるよう意図されることを意味している。特に、「埋め込み型」とは、この埋め込み型デバイス１０が厳密に１週間超、好ましくは厳密に１箇月超、好ましくは１年以上の時間の間、体内に常在するよう意図されることを意味している。
【００２１】
例えば、埋め込み型デバイス１０は、流体Ｆを含む体の体腔内に設置されるように構成されている。腸又は胃は体腔の実例である。
【００２２】
変形例として、埋め込み型デバイス１０は体腔の外部に、例えば筋肉内又は患者の皮下に埋め込まれるように構成されている。
【００２３】
埋め込み型デバイス１０は、体の器官を刺激するように構成されている。例えば、器官は心臓であり、埋め込み型デバイス１０はこの場合ペースメーカーである。
【００２４】
刺激以外の機能を実行する埋め込み型デバイス１０もまた企図され得ることに留意されたい。例えば、体液Ｆ中の特定のマーカのレベルなどの体の生理学的パラメータの値を測定し、測定した値を別のデバイスに送信できる、センサを備える、埋め込み型デバイス１０が企図され得る。
【００２５】
埋め込み型デバイス１０が医薬製品などの作用物質の予備を含み、作用物質を体内に注入するように設計されることもまた企図され得る。
【００２６】
一般的に言えば、埋め込み型デバイス１０は、埋め込み型デバイス１０への電力供給が必要などのような機能も実行できる。
【００２７】
例えば、埋め込み型デバイス１０は、刺激デバイス１５と、制御装置２０と、貯蔵セル２５と、変換器３０と、アンカー３５と、第１のケーシング４０と、熱電発電器４５と、を備える。
【００２８】
流体Ｆは体液であり、体腔を完全に又はある程度満たしている。
【００２９】
例えば、流体Ｆは液体である。
【００３０】
例えば、流体Ｆは血液である。変形例として、流体Ｆは腹水である。別の変形例では、流体Ｆは胃に含まれる液体、特に胃液の混合物である。
【００３１】
細胞外液又は患者の腸に含まれる流体は、流体Ｆの他の実例である。
【００３２】
流体Ｆは、少なくとも１種の第１の化学種Ｃ１を含有する。１つの特定の実施例では、流体Ｆは、第１の化学種Ｃ１及び少なくとも１種の第２の化学種Ｃ２を含有する。
【００３３】
第１の化学種Ｃ１は、流体Ｆ中に天然に存在する化学種である。
【００３４】
第１の化学種Ｃ１は例えばグルコースである。
【００３５】
多数の化学種が第１の化学種Ｃ１の役割を果たせることに留意されたい。明らかなことであるが、これらには、デバイスと接触しているか又はデバイスの環境内にある流体中に存在する可能性の高い化学種が含まれる。例えば、第１の種Ｃ１は、ピルベート、アスコルビン酸、尿素、アルコール、及び糖から成る群から選択できる。グルコースに言及したが、フルクトース、ガラクトース、及びマンノース（炭水化物若しくは糖の消化に及び／又は食物の摂取に由来する）、或いは更にグリコーゲンなどの、その他の単糖を追加してもよい。別の特定の実施例では、糖はスクロースである（特にデバイスが胃の中にある場合）。
【００３６】
流体Ｆが細胞外液である場合、例えば埋め込み型デバイス１０を患者の皮下に埋め込むことが意図されているとき、第１の化学種Ｃ１はグルコース、例えば又はピルベートである。
【００３７】
第２の化学種Ｃ２は、流体Ｆ中に天然に含有される化学種である。
【００３８】
例えば、第２の化学種Ｃ２は二原子酸素である。
【００３９】
第１の化学種Ｃ１及び第２の化学種Ｃ２は流体Ｆ中に天然に存在する全ての種の中から選択できることに留意されたい。１つの実例では、第１の化学種Ｃ１及び第２の化学種Ｃ２のうちの少なくとも一方は、患者の胃及び／又は腸に含まれる、食餌に由来する及び／又は食物の消化若しく転換に由来する有機分子である。
【００４０】
いくつかの用途では、第１の化学種Ｃ１及び／又は第２の化学種Ｃ２は、バイオマス中に天然に存在する種、例えばバイオマスを分解すると放出される種であり得る。
【００４１】
刺激デバイス１５は、器官を刺激するように構成されている。
【００４２】
例えば、刺激デバイス１５は、器官を電気的に刺激するように構成されている。特に、刺激デバイス１５は器官に電気的に接続され得る電極を備え、電極と第１のケーシング４０との間に電圧を印加するように構成されている。
【００４３】
変形例として、刺激デバイス１５は、器官を機械的に刺激するように構成されている。
【００４４】
制御装置２０は、刺激デバイス１５による器官の刺激を要求するように構成されている。例えば、制御装置２０は、刺激頻度を計算すること、又は、心拍異常などの体の生理現象を検出し異常が検出されたときに刺激を要求することができる。
【００４５】
例えば、制御装置２０は、メモリとプロセッサとを備えるデータ処理ユニットである。
【００４６】
他の種類の制御装置２０を使用できることに留意されたい。例えば、一変形例として、制御装置２０はプログラム可能な論理コンポーネントである。プログラム可能な論理コンポーネントは、プログラム可能論理回路又はプログラム可能論理アレイとも呼ばれ、製造後に再プログラム可能な論理集積回路である。別の変形例では、制御装置２０は特定用途向け集積回路（ＡＳＩＣ）である。ＡＳＩＣは、特定の用途専用の特化された集積回路である。
【００４７】
貯蔵セル２５は、電気エネルギーを貯蔵するように構成されている。貯蔵セル２５は例えばスーパーキャパシタ、又はバッテリのセットである。
【００４８】
変換器３０は、熱電発電器４５から第１の電圧を受け、これに応答して、貯蔵セル２５、制御装置２０、及び刺激デバイス１５に電力供給する第２の電圧を生成するように構成されている。
【００４９】
アンカー３５は、埋め込み型デバイス１０が体内に埋め込まれるときに、埋め込み型デバイス１０を所定位置に保持するように構成されている。例えば、アンカー３５は、胃壁などの体の壁５０に固定されるように構成されている。
【００５０】
多数の種類のアンカー３５を使用できることに留意されたい。
【００５１】
アンカー３５及び埋め込み型デバイス１０を固定するために、多数の部位が企図され得る。
【００５２】
第１のケーシング４０は、刺激デバイス１５、制御装置２０、貯蔵セル２５、及び変換器３０を、第１のケーシング４０の外部、特に流体Ｆから隔離するように構成されている。
【００５３】
熱電発電器４５は、流体Ｆ中に浸漬されるように意図されている。特に、熱電発電器４５は、流体Ｆと少なくとも部分的に接触しているように意図されている。
【００５４】
熱電発電器４５は、第１の電位差を生成するように構成されている。例えば、熱電発電器４５は、第１の電位差を生成するように、及び第１の電位差によって変換器３０に電力供給するように構成されている。
【００５５】
熱電発電器４５は、第１の電極５５と、第２の電極６０と、第２のケーシング６５とを備える。
【００５６】
各電極５５、６０は、第１の端部７０と第２の端部７５とを有する。
【００５７】
例えば、各電極５５、６０は、第１の端部７０と第２の端部７５との間に主方向Ｄに沿って延在する。
【００５８】
１つの実例では、各電極５５、６０は、主方向Ｄに対して垂直な平面において矩形形状の断面を有する。断面の形状は実施例によって異なる場合のあることに留意されたい。
【００５９】
各電極５５、６０は半導体材料で形成されている。
【００６０】
「半導体材料」とは、厳密にゼロよりも大きく６．５ｅＶ以下であるギャップ値を有する材料であることを意味している。
【００６１】
材料の「ギャップ値」とは、材料における価電子帯と伝導帯の間のバンドギャップの値を意味している。材料のギャップ値は、例えば電子ボルト（ｅＶ：ｅｌｅｃｔｒｏｎ−ｖｏｌｔｓ）で表される。
【００６２】
価電子帯は、検討中の材料中の電子に許されるエネルギー帯のうち、２０Ｋ以下の温度において完全に充満されている、最高のエネルギーを有する帯域であるものと定義される。
【００６３】
各価電子帯に対して第１のエネルギー・レベルが定められる。第１のエネルギー・レベルは、価電子帯の最高のエネルギー・レベルである。
【００６４】
伝導帯は、材料中の電子に許されるエネルギー帯のうち、２０Ｋ以下の温度において充満されていない、最低のエネルギーを有する帯域であるものと定義される。
【００６５】
各伝導帯に対して第２のエネルギー・レベルが定められる。第２のエネルギー・レベルは、伝導帯の最低のエネルギー・レベルである。
【００６６】
したがって、各ギャップ値は、検討中の材料の第１のエネルギー・レベルと第２のエネルギー・レベルの間で測定される。
【００６７】
例えば、各電極５５、６０は単一の半導体材料で形成される。
【００６８】
１つの実例では、少なくとも１つの電極５５、６０は複数の部分を備え、各部分は検討中の電極５５、６０のその他の部分とは異なる半導体材料で形成されている。
【００６９】
例えば、各半導体材料は、テルリウムと１つの他の元素の合金、及び熱電性ポリマーから成る群から選択される。
【００７０】
半導体材料がテルリウムと１つの他の元素の合金であるとき、この他の元素は例えばビスマス又はアンチモンである。
【００７１】
他の半導体材料を使用してもよいことに留意されたい。
【００７２】
ポリアニリン及びポリピロールは熱電性ポリマーの実例であるが、他の熱電性ポリマーが企図され得る
【００７３】
これらの部分は電気的に１つに接続される。特に、これらの部分は、第１の端部７０と第２の端部７５の間で直列に接続される。例えば、１つの同じ電極５５、６０のこれらの部分は、主方向Ｄに沿って位置合わせされる。
【００７４】
各第２の端部７５は、例えば変換器３０に電気的に接続される。
【００７５】
各電極５５、６０に対して、高温端及び低温端が定められる。
【００７６】
高温端及び低温端の各々は、第１の端部７０及び第２の端部７５の中から選択される。
【００７７】
高温端及び低温端は、熱電発電器４５が各電極５５、６０の高温端と低温端との間に温度差が与えられると第１の電位差を生むように構成され、高温端の温度が低温端の温度よりも厳密に高い、ということによって定義される。
【００７８】
図１に示す実例では、各電極５５、６０の高温端は第１の端部７０であり、各電極５５、６０の低温端は第２の端部７５である。
【００７９】
各電極５５、６０の低温端が第１の端部７０であり各電極５５、６０の高温端が第２の端部７５である実施例も企図され得ることに留意されたい。
【００８０】
各電極５５、６０の第１の端部７０は、他方の電極５５、６０の第１の端部７０に電気的に接続される。
【００８１】
第１の端部７０は例えば、金属導体、例えば金、銅、又は別の金属材料で製作される導体を介して、互いに電気的に接続される。
【００８２】
第１の電極５５は第１のタイプのドーピングを有する。例えば、第１の電極の各部分は、第１のタイプのドーピングを有する。
【００８３】
ドーピングは、材料中に自由電荷キャリアに寄与する不純物が存在することとして定義される。例えば、不純物は、その材料中に天然には含有されない要素の原子である。
【００８４】
不純物の存在によって非ドープ材料に比べて材料中の正孔の体積密度が上がるとき、ドーピングはｐ型である。
【００８５】
不純物の存在によって非ドープ材料に比べて材料中の自由電子の体積密度が上がるとき、ドーピングはｎ型である。
【００８６】
第１のタイプのドーピングは、ｎ型ドーピング及びｐ型ドーピングから選択される。例えば、第１のタイプのドーピングはｎ型ドーピングである。
【００８７】
第２の電極６０は、ｐ型ドーピング及びｎ型ドーピングから選択される、第２のタイプのドーピングを有する。特に、第２のタイプのドーピングは、第１のタイプのドーピングとは異なる。例えば、第２のタイプのドーピングはｐ型ドーピングである。
【００８８】
少なくとも１つの電極５５、６０の高温端は、要素８０を含む。例えば、各電極５５、６０の高温端は要素８０を含む。
【００８９】
逆に、各電極５５、６０の低温端は要素８０を含まない。
【００９０】
１つの実例では、熱電発電器４５は、全ての電極５５、６０に共通の単一の要素８０を備える。
【００９１】
要素８０は、対応する電極５５、６０の第１の端部７０と同じ電極５５、６０の第２の端部７５との間に温度差を生むように構成されている。特に、要素８０は、高温端の温度が低温端の温度よりも厳密に高いような温度差を生むように構成されている。
【００９２】
特に、要素８０は、第１の化学種Ｃ１が関与する少なくとも１回の発熱反応を引き起こすことができる。
【００９３】
１つの実例では、要素８０は、少なくとも１回の第１の発熱反応及び少なくとも１回の第２の発熱反応を引き起こすことができる。
【００９４】
要素８０が引き起こす発熱反応の回数は様々であり得ることに留意されたい。例えば、要素８０が単一の第１の発熱反応を引き起こすことができる実施例が企図され得、同様に、要素８０が３回以上の発熱反応を引き起こすことができる実施例も企図され得る。
【００９５】
１つの実例では、各要素８０は、要素８０が生成できる発熱反応の触媒である。触媒は、化学反応によって消費されずにその化学反応を引き起こすか又は化学反応の速さを高める物質である。
【００９６】
各要素８０は、微生物及び酵素から成る群から選択される。例えば、要素８０は、１種の酵素、数種の酵素の混合物、１種の微生物、数種の微生物の混合物又は少なくとも１種の酵素と少なくとも１種の微生物の混合物である。
【００９７】
酵素は触媒活性を有するタンパク質である。
【００９８】
１つの実例では、要素８０は酵素である。例えば、要素８０は２種の異なる酵素の混合物である。特に、要素８０は、グルコース・オキシダーゼ及びカタラーゼを含む。
【００９９】
グルコース・オキシダーゼ（頭字語ＧＯｘ及びＧＯＤでも表される）は、過酸化水素及びグルコン酸へのグルコースの酸化を触媒する、ＥＣ命名法ＥＣ１．１．３．４のオキシドレダクターゼ酵素である。
【０１００】
ＥＣ命名法（ＥＣは酵素委員会のロゴである）は、酵素が触媒する化学反応に基いた、数字による酵素の分類である。
【０１０１】
カタラーゼ（ギリシャ語のｋａｔａｌｕｅｉｎ「分解する」から）は、水及び二原子酸素への過酸化水素の不均化を触媒する、ヘム含有オキシドレダクターゼである。
【０１０２】
不均化は、化学種が酸化物質として及び還元物質としての両方で作用する、併発反応である。水及び二原子酸素への過酸化水素の不均化は、以下の平衡式で定義される：
２Ｈ２Ｏ２  →  Ｏ２＋２Ｈ２Ｏ     （式１）  
一変形例では、酵素は、スクラーゼ、フルクトース・オキシダーゼ及びガラクトース・オキシダーゼの中から選択される、少なくとも１つの酵素を含む。例えば、酵素は、グルコース・オキシダーゼ、カタラーゼ、フルクトース・オキシダーゼ、スクラーゼ、及びガラクトース・オキシダーゼを含む。
【０１０３】
「微生物」とは、各々の最大サイズが１００ミクロン以下、例えば５０ミクロン以下、特に５ミクロンから２０ミクロンの間である生物群を意味している。
【０１０４】
各微生物は、第１の化学種Ｃ１が関与する発熱反応を引き起こすことができる。
【０１０５】
一部の微生物は例えば、第１の化学種Ｃ１の酸化発熱反応を引き起こすことができる。酸化還元反応ではない発熱反応も企図され得ることに留意されたい。
【０１０６】
微生物は例えば、少なくとも１種の酵母を含む。例えば、微生物は、数種の異なる酵母の混合物を含む。
【０１０７】
酵母は単細胞の真菌類である。
【０１０８】
１つの特定の実施例では、酵母は例えばサッカロマイセス・セレビシエである。他の種類の酵母も企図され得ることに留意されたい。
【０１０９】
変形例として、微生物は少なくとも１種の細菌を含む。例えば、微生物は、数種の異なる細菌の混合物を含む。
【０１１０】
微生物として多数の種類の細菌が企図され得る。
【０１１１】
例えば、微生物は、１種類の共生細菌、又は複数種の共生細菌の群（混合物）を含む。共生細菌は、ヒトなどの宿主の体（一般的には皮膚又は粘膜）に、疾患を引き起こすことなくコロニー形成する細菌である。大腸菌は本発明で使用できる共生細菌の実例である。
【０１１２】
埋め込み型デバイス１０を患者の腸に埋め込むことが意図される場合、微生物は、例えば腸内に天然に存在する、少なくとも１種類の細菌を含む。
【０１１３】
他の種類の細菌も企図され得ることに留意されたい。
【０１１４】
第１の発熱反応では、第１の化学種Ｃ１の反応によって少なくとも１つの生成物Pが生成される。
【０１１５】
例えば、第１の発熱反応は、第１の化学種Ｃ１と第２の化学種Ｃ２の間の反応である。酸化反応は、第１の化学種Ｃ１と第２の化学種Ｃ２の間の反応の実例である。しかしながら、酸化還元反応ではない発熱反応も企図される可能性が高い。
【０１１６】
１つの実例では、第１の発熱反応は、第１の化学種の、又は第２の化学種の、加水分解反応である。別の実例では、第１の発熱反応は、第１の化学種の、又は第２の化学種の、不均化反応である。
【０１１７】
第１の化学種Ｃ１がグルコースである場合、第１の反応は例えば、二原子酸素の存在下での、グルコン酸と過酸化水素Ｈ２Ｏ２の混合物へのグルコースの分解である。この場合、第１の発熱反応は、グルコン酸と過酸化水素である２つの生成物Ｐを生成する。
【０１１８】
要素８０が一群の細菌を含む場合、第１の発熱反応は例えば細菌の代謝反応、すなわち、細菌が生命維持、発達、増殖、又は細菌が曝されている環境の刺激への反応のために機能させる反応である。
【０１１９】
多数の第１の発熱反応が企図され得ることに留意されたい。
【０１２０】
第２の発熱反応は、第１の反応によって生成される少なくとも１つの生成物Ｐが関与する発熱反応である。例えば、第２の発熱反応は、生成物Ｐと第２の化学種Ｃ２の間の反応である。
【０１２１】
１つの実例では、第２の発熱反応は、生成物Ｐのみが関与する反応である。
【０１２２】
例えば、第２の発熱反応は生成物Ｐの分解反応である。分解反応の１つの実例は、水及び二水素の混合物への過酸化水素の分解である。
【０１２３】
要素８０は例えば、少なくとも１つの電極５５、６０の高温端と接触している。
【０１２４】
図１に示す実施例では、要素８０は対応する電極５５、６０の高温端を取り囲んでいる。例えば、要素８０は、各２つの電極５５、６０の高温端、ここでは第１の端部７０を、取り囲んでいる。
【０１２５】
特に、要素８０は、主方向Ｄに対して垂直な平面において、対応する電極５５、６０の高温端を取り囲んでいる。要素８０はまた、高温端、要素８０、及び第２のケーシング６５が主方向Ｄに沿ってこの順番で整列されるように、第２のケーシング６５と高温端との間に間挿される。
【０１２６】
要素８０は例えば多孔質の固体である。
【０１２７】
要素８０は特に、流体Ｆに含有される分子がそこを通過できるように構成されている。特に、要素８０は、細孔により第１の化学種Ｃ１及び／又は第２の化学種Ｃ２の通過が可能になるように設計されている。
【０１２８】
最小サイズが１ナノメートル（ｎｍ）以上の細孔を有する多孔質の固体は、要素８０として使用できる多孔質の固体の実例である。
【０１２９】
要素８０は例えば断熱材で形成される。
【０１３０】
特に、要素８０は生体適合性材料で形成される。生体適合性は、生物媒質中で材料を使用したときに、その材料が生物媒質に干渉せずそれを劣化させない能力である。生体適合性材料は生体材料とも呼ばれる。
【０１３１】
要素８０は、１マイクロメートルから２センチメートルの間の、高温端の表面に対して垂直な方向に測定される厚さを有する。
【０１３２】
要素８０は、例えば対応する高温端の表面を少なくとも部分的に覆う、フィルムである。
【０１３３】
変形例として、要素８０は、高温端と接触しているブロックである。
【０１３４】
例えば、要素８０は粒子の集合である。
【０１３５】
１つの実例では、要素８０は、粒子を圧粉することによって形成される固体である。
【０１３６】
別の実施例では、熱電発電器４５はマトリクスを備え、粒子はマトリクスに封入されている。
【０１３７】
「マトリクス」とは、異なる粒子間の凝集を保証するバインダを意味している。特に、各粒子を取り囲む物質の塊は、マトリクスの実例である。例えば、各粒子はマトリクス中に含まれ、マトリクスと一体である。
【０１３８】
例えば、マトリクスは、ポリマー材料で形成されるマトリクスである。
【０１３９】
１つの実例では、要素８０は、対応する電極５５、６０の高温端を形成する少なくとも１つの半導体材料に組み込まれている。例えば、半導体材料は多孔質であり、要素８０を形成する粒子用のマトリクスを形成する。
【０１４０】
その半導体材料が多孔質であり粒子用のマトリクスを形成している、電極５５、６０の高温端は、例えば半導体粒子、特にナノ粒子、及び要素８０の粒子を、機械的に圧粉することによって形成される。１つの実例では、高温端は、半導体粒子と要素８０の粒子とポリマー粒子とを、機械的に圧粉することによって形成される。
【０１４１】
企図され得る別の実施例によれば、高温端は、半導体粒子と要素８０の粒子とポリマー粒子とを含むインクから形成される。
【０１４２】
第２のケーシング６５は、各電極５５、６０の高温端の少なくとも１つの部分を、熱電発電器４５が浸漬される流体Ｆから熱的に絶縁するように構成されている。
【０１４３】
特に、第２のケーシング６５は、少なくとも各電極５５、６０の高温端を収容するチャンバ８５を画定する。
【０１４４】
要素８０は特にチャンバ８５内に収容される。
【０１４５】
図１に示す実例では、各電極５５、６０の低温端はチャンバ８５内に収容されない。特に、各電極５５、６０の低温端は流体Ｆ中に浸されている。
【０１４６】
各電極５５、６０が完全にチャンバ８５内に収容される実施例も企図され得ることに留意されたい。例えば、第２のケーシング６５はチャンバ８５を２つの副チャンバに分割する内壁を備え、各電極５５、６０の高温端は一方の副チャンバ内に収容され、各電極５５、６０の低温端は他方の副チャンバ内に収容される。内壁はその場合、２つの副チャンバを互いから断熱するように構成されている。
【０１４７】
別の実施例では、チャンバ８５は、第２のケーシング６５によって及び電極５５、６０の表面によって画定される。この場合、第２のケーシング６５は例えば電極５５、６０に固定され、対応する要素８０を電極５５、６０と接触させて保持するように構成されている。
【０１４８】
第２のケーシング６５は、第１の化学種Ｃ１がそこを通過できるように構成されている。例えば、第２のケーシング６５は、チャンバ８５内に流体Ｆの流れを注入することができるポンプを備える。
【０１４９】
例えば、ポンプは圧電ダイヤフラム型ポンプである。
【０１５０】
変形例として、第２のケーシング６５は、流体Ｆが通過できる多孔質材料で形成されている。
【０１５１】
別の変形例では、第２のケーシング６５は、第１の化学種Ｃ１のみがそこを通過できるように構成されている。
【０１５２】
第２のケーシング６５は例えばポリマー材料、特に化学種Ｃ１及びＣ２が通過できる多孔質ポリマー材料で形成される。
【０１５３】
先行する実例では、熱電発電器４５が埋め込み型デバイス１０に組み込まれている場合の、熱電発電器４５について記載されている。熱電発電器４５が体液ではない流体Ｆ中に浸漬されるように意図されている実施例も企図され得ることに留意されたい。
【０１５４】
例えば、流体Ｆは、産業又は農業設備から排出される流体である。この場合、第１の化学種Ｃ１は、例えば尿素、糖、アルコール、及びバイオマスから成る群から選択される。
【０１５５】
一変形例では、流体Ｆは主排管の排水（ｍａｉｎｓ  ｄｒａｉｎａｇｅ）などの排水流、特に台所又は下水の排水である。
【０１５６】
この場合、第１の化学種Ｃ１は、例えば尿素、糖、及びアルコールから成る群から選択される。
【０１５７】
ここで熱電発電器４５の動作について、図２を参照して記載する。
【０１５８】
電位差を生むための方法の実例のステップのフローチャートが、図２に示されている。
【０１５９】
生成方法は、準備ステップ１００と、浸漬ステップ１１０と、実施ステップ１２０と、温度差発生ステップ１３０と、電位差発生ステップ１４０と、を含む。
【０１６０】
準備ステップ１００において、熱電発電器４５が準備される。
【０１６１】
浸漬ステップ１１０において、熱電発電器４５は流体Ｆ中に浸漬される。
【０１６２】
例えば、埋め込み型デバイス１０は体内に埋め込まれ、アンカー３５によって、熱電発電器４５が体腔を満たしている流体Ｆ中に浸されるように、体腔内に固定される。
【０１６３】
流体Ｆが体液ではない場合、熱電発電器４５はこれが流体Ｆ中に浸されるような所定位置に固定され、例えば流体Ｆを収容するよう意図された管材の内壁に固定される。
【０１６４】
実施ステップ１２０において、要素８０によって少なくとも第１の発熱反応が実施される。例えば、流体Ｆが要素８０と接触し、要素８０によって第１の発熱反応が引き起こされる。
【０１６５】
特に、要素８０は、第１の発熱反応及び各第２の発熱反応を引き起こす。より具体的には、要素８０は少なくとも第１の化学種から第１の発熱反応を引き起こし、それが生成物Ｐの発生をもたらす。要素８０は更に、第１の発熱反応によって生成される生成物Ｐから、第２の発熱反応を引き起こす。
【０１６６】
多数の発熱反応を使用できることに留意されたい。例えば、要素８０が、グルコース・オキシダーゼ及びカタラーゼ、カタラーゼ、フルクトース・オキシダーゼ、スクラーゼ、及びガラクトース・オキシダーゼを含む場合、要素８０はグルコン酸及び過酸化水素へのグルコースの酸化を引き起こし、次いで過酸化水素がカタラーゼによって分解される。
【０１６７】
要素８０がグルコース・オキシダーゼ、フルクトース・オキシダーゼ、スクラーゼ、及びガラクトース・オキシダーゼを含む場合、スクロースはスクラーゼによってグルコース、フルクトース、及びガラクトースに分解され、これらの生成物自体は次いでグルコース・オキシダーゼ、フルクトース・オキシダーゼ、及びガラクトース・オキシダーゼによって分解される。
【０１６８】
温度差発生ステップ１３０において、発熱反応に続いて、要素８０を含む各電極５５、６０の高温端と低温端の間で温度差が生じる。より具体的には、発熱反応が、低温端に対する高温端の加熱をもたらす。
【０１６９】
電位差発生ステップ１４０において、温度差の発生に続いて、熱電効果によって２つの第２の端部７５の間で電位差が生じる。
【０１７０】
特に、要素８０を含む各電極５５、６０の高温端と低温端との間に、電圧が生まれる。２つの第１の端部７０は互いに電気的に接続されているので、このことにより２つの第２の端部７５の間に電位差が生じる。
【０１７１】
電位差は例えば、１度ケルビンあたり１マイクロボルトから１度ケルビンあたり９ミリボルトの間である。
【０１７２】
電位差は、例えば、変換器３０を電極５５、６０の第２の端部７５に各々接続する２つの導電体を介して、変換器３０に伝達される。
【０１７３】
要素８０の使用によって、熱電発電器４５は、熱電発電器４５が均一な温度の流体Ｆ中に浸漬される場合であっても、電位差を生むことができる。例えば、熱電発電器４５が体内に埋め込まれているとき、体温は比較的均一であるにも関わらず、熱電発電器４５は数ミリワットの領域内で電力を送達できる。同様に、産業設備から排出された流出物中に浸漬されると、熱電発電器４５は、この流出物が均一な温度のものであっても、かなりの電力を生成できる。
【０１７４】
熱電発電器４５はしたがって、従来技術の熱電発電器であればほとんど又は全く電力を生み出せないような媒質中に熱電発電器４５がある場合でさえも、かなりの電力を送達できる。
【０１７５】
更に、熱電発電器４５は酸化物質及び還元物質が存在する媒質に制限されず、一緒に反応して発熱反応を形成できる化学種が利用可能であれば、この反応が酸化還元反応ではなくても、多数の媒質中で使用することができる。
【０１７６】
この熱電発電器４５はしたがって、最新技術の熱電発電器４５よりも多数の媒質に適合されている。
【０１７７】
更に、熱電発電器４５は小サイズであり、したがって、埋め込み型デバイスへの電力供給などの用途に、他の種類の発電器よりも良好に適合されている。
【０１７８】
第２のケーシング６５によって流体のほとんどから高温端を断熱することが可能になり、したがって、第２のケーシング６５がない場合に到達すると考えられるよりも高い温度に、高温端が容易に到達することが可能になる。生成される電力はしたがって、第２のケーシング６５がない場合に生成される電力よりも大きい。
【０１７９】
ポリマー材料は、断熱性の第２のケーシング６５を形成するのに特に適している。また、多数のポリマーに対して、人体又は動物体は特に良好な耐性を有する。
【０１８０】
多孔質材料で形成される第２のケーシング６５により、ポンプの必要がないため、断熱と操作の容易さの両方を組み合わせることが可能になる。更に、ポンプに給電するために流用される電力が無いため、熱電発電器から出力される利用可能な電力がより大きくなる。
【０１８１】
流体Ｆをチャンバ８５に注入するためのポンプの使用によって、流体Ｆの移動が対流によってのみ行われる場合と比べて、要素８０と接触する流体Ｆの流量を大きくすることができる。また、流体Ｆの流量、及びしたがって埋め込み型デバイス１０によって生成される電力を、ポンプの制御によって調節することができる。
【０１８２】
圧電ダイヤフラム型ポンプはほとんどエネルギーを消費せず、チャンバ８５に注入される流体Ｆの体積が小さい用途に、例えば熱電発電器４５が体内に埋め込まれる場合に、非常に良好に適合されている。
【０１８３】
要素８０がマトリクス中に分散させた粒子の形態であるか又は圧粉粒子で形成された多孔質の固体である場合、多数の化学種Ｃ１、Ｃ２が要素８０と接触し、この結果対応する発熱反応に加わることが可能になる。この場合も、生成される電力はより大きくなる。
【０１８４】
細菌及び酵母は自己増殖できるので、熱電発電器４５の性能は、他の種類の要素８０と比較して、時間が経過しても低下しない可能性が高い。
【０１８５】
酵母及び細菌は、特にこれらの種が埋め込み型デバイス１０を浸漬することが意図される環境中に天然に存在する場合、特にこれらの種が流体Ｆ中に天然に存在する場合に、これらが浸漬されている環境に対して良好な耐性を有する。これは例えば、埋め込み型デバイス１０を腸内に埋め込むことが意図される場合の、腸内細菌に当てはまる。
【０１８６】
酵素は触媒される反応において高い選択性を示し、したがってこれらの反応に対する良好な制御を実現する。
【０１８７】
一方が他方の生成物Ｐに関与する、少なくとも２回の連続した発熱反応を使用することで、高温端において得られる温度の向上、及びしたがって送達される電力の増加が可能になる。
【０１８８】
グルコースは多数の体液Ｆ中で利用可能な分子であり、したがって、特にグルコース及び／又はその分解の結果得られる生成物Ｐが多数の発熱反応に関与していることから、第１の化学種Ｃ１及び／又は第２の化学種Ｃ２としての使用に非常に適している。
【０１８９】
上記の実例では、熱電発電器４５を、熱電発電器４５が２つの電極５５、６０を備えるケースについて記載してきた。熱電発電器４５が３つ以上の電極５５、６０を備える実施例が企図され得ることに留意されたい。
【０１９０】
例えば、熱電発電器４５は、第２の電極６０の第２の端部７５が第３の電極の第２の端部７５に電気的に接続されるかたちで直列に装着された、３つの電極を備える。第３の電極は特に、第１の電極５５と同一である。
【０１９１】
熱電発電器４５によってこのように生じた電位差は、第１の電極５５の第２の端部７５と第３の電極の第１の端部７０の間で測定される。特に、第１の電位差は第１の電極５５の第２の端部７５及びと第２の電極６０の第２の端部７５の間で生じ、第２の電位差は３の電極の第１の端部と第２の端部の間で生じる。
【０１９２】
熱電発電器４５内で４つ以上の電極が直列に装着されている実施例も企図され得る。
【０１９３】
図３を参照すると、本発明の熱電発電器用の多孔質材料として使用できる多孔質３Ｄマトリクス２００が図示されていることが見て取れる。
【０１９４】
多孔質３Ｄマトリクス２００は図示された実施例では立方体であるが、ただし本発明はこの点に関して制限されず、多孔質３Ｄマトリクスは場合によっては円筒又は厚板の形状も有する。
【０１９５】
多孔質３Ｄマトリクス２００上に示されている矩形２０１は、多孔質３Ｄマトリクス２００の細孔を表す。多孔質３Ｄマトリクスの細孔のサイズは、５０μｍから１ｍｍまでの値をとり得る。
【０１９６】
多孔質３Ｄマトリクスは例えば、金属粒子粉末及び粘性のバインダの粘性のペーストから３Ｄプリントによって作製され、金属粒子粉末の粒子は例えば、炭素粒子、カーボン・ナノチューブ粒子、活性炭粒子、グラフェン粒子、アルミニウム粒子である。
【０１９７】
粘性のバインダは、以下の化合物のうちの１つの要素、又はいくつかの要素の混合物である：セルロース誘導体、アルギネート、アガロース、ポリビニルアルコール、ポリ塩化ビニル。
【０１９８】
多孔質３Ｄマトリクス２００のある面は断熱材、例えばＰＣＢによって閉じられており、多孔質３Ｄマトリクスのその他の面は熱伝導材、例えばアルミニウムによって閉じられている。
【０１９９】
細菌又は微生物は多孔質３Ｄマトリクス２００の細孔２０１内で増殖できることになる。
【０２００】
図４は、図３に示す多孔質３Ｄマトリクス２００と共に使用されている、本発明の一実施例に係る熱電発電器２０２を示す。
【０２０１】
図４に見ることができるように、多孔質３Ｄマトリクス２００は流体入口２０３と流体出口２０４とを備え、流体はここではグルコースであり、流体入口２０３と流体出口２０４との間に多孔質３Ｄマトリクス２００が含有する細菌又は微生物に給餌するためのグルコースのチャネルが確立され、多孔質３Ｄマトリクスを形成する材料の多孔性もまたこの給餌を可能にしている。
【０２０２】
多孔質３Ｄマトリクス２００は、そこに含有される細菌又は微生物２０９が放出する熱が最適化されるように、熱電発電器２０２における熱損失が最小限となるような、熱容量の低い炭素ポリマーのマトリクスである。多孔質３Ｄマトリクスは、図示された非限定的な実施例では立方体であって、その面のうちの５つが断熱材、例えばパリレン系のポリマーで被覆されており、最後の面２０５が、例えばアルミニウム系の熱伝導材で被覆されている。
【０２０３】
熱電発電器２０２は、電圧源２０６と、一方の端部が電圧源に接続され他方の端部がアルミニウム系の熱伝導タイプの材料のプレート２０８に接続されて、電圧源２０６の側に低温源を、及びプレート２０８の側に高温源を作り出す、２つの電極２０７ａ及び２０７ｂと、から成る。高温源としてのプレート２０８は、多孔質３Ｄマトリクス２００の面２０５と接触させられるか又はその近傍に置かれ、そこに熱を伝達する。
【０２０４】
多孔質３Ｄマトリクス２００中には、細菌又は微生物２０９が存在する。多孔質３Ｄマトリクスを使用することで、多孔質３Ｄマトリクス２００の表面及び内部における細菌又は微生物のバイオフィルムの形成によって、細菌又は微生物２０９の数又は密度の増加が可能になる。
【０２０５】
細菌又は微生物２０９の密度は、細菌又は微生物が溶液中にあるときよりも、バイオフィルム中にある場合の方が大きい。
【０２０６】
３Ｄマトリクスの多孔性によりまた、微生物に水及び基質を供給することもでき、有利である。
【図１】
2021525502.tif 000003
【図２】
2021525502.tif 000004
【図３】
2021525502.tif 000005
【図４】
2021525502.tif 000006
【国際調査報告】
2021525502.tif 000007
2021525502.tif 000008
2021525502.tif 000009
2021525502.tif 000010
2021525502.tif 000011
2021525502.tif 000012